(57)【要約】【課題】  本発明は、パチンコ遊技機に対して、性能の良い台、あるいは性能の悪い台を無くし、標準化する遊技機障害釘間隔調整方法に関する。【解決手段】  選択された基準遊技基盤に植設された遊技機障害釘は、イメージスキャナーによってスキャニングされて画像データとして保存される。次に、被測定遊技基盤に植設された遊技機障害釘は、前記イメージスキャナーによってスキャニングされ、画像データとして保存される。スキャニングされた前記被測定遊技基盤の画像データと、前記保存された基準となる遊技基盤の画像データとは、重ね合わされることによって比較される。前記被測定遊技基盤に植設された遊技機障害釘間隔は、前記比較によって、前記基準となる遊技基盤とどの程度異なるかが判るため、同じように調整されることにより、標準化が行える。【選択図】  図１
2005198957.tif 000002
【特許請求の範囲】
【請求項１】
遊技機障害釘を遊技基盤面に備えている遊技機における遊技機障害釘調整方法において、
基準となる遊技基盤に植設された遊技機障害釘の画像をイメージスキャナーによってスキャニングし、
前記スキャニングされた画像データを保存し、
次に、被測定遊技基盤に植設された遊技機障害釘の画像を前記イメージスキャナーによってスキャニングし、
前記スキャニングされた前記被測定遊技基盤の画像データと、前記保存された基準となる遊技基盤の画像データとを比較することによって、被測定遊技基盤に植設された遊技機障害釘が前記基準となる遊技基盤に植設された遊技機障害釘と同じ位置に調整されることを特徴とする遊技機障害釘調整方法。
【請求項２】
遊技機障害釘を遊技基盤面に備えている遊技機における遊技機障害釘調整方法において、
基準となる遊技基盤に植設された遊技機障害釘の画像データが配信され、
前記配信された基準となる画像データを保存し、
次に、被測定遊技基盤に植設された遊技機障害釘の画像をイメージスキャナーによってスキャニングし、
前記スキャニングされた前記被測定遊技基盤の画像データと、前記保存された基準となる遊技基盤の画像データとを比較することによって、被測定遊技基盤に植設された遊技機障害釘が前記基準となる遊技基盤に植設された遊技機障害釘と同じ位置に調整されることを特徴とする遊技機障害釘調整方法。
【請求項３】
前記基準となる遊技基盤は、性能の優れた遊技台であり、前記被測定遊技基盤は、前記遊技基盤と同じ機種の他の遊技台であることを特徴とする請求項１または請求項２に記載された遊技機障害釘調整方法。
【請求項４】
遊技機障害釘を遊技基盤面に備えている遊技機における遊技機障害釘調整方法において、
複数の遊技基盤を選択した後、これらを登録し、
前記登録された複数の遊技基盤の入賞状態を適切な時間注目し、パチンコホールの経営およびパチンコ遊技者にとって一番望ましい遊技基盤を基準となる遊技基盤として選択し、
前記基準となる遊技基盤に植設された遊技機障害釘の画像データがイメージスキャナーによってスキャニングされ、その画像データを保存し、
次に、被測定遊技基盤に植設された遊技機障害釘の画像を前記イメージスキャナーによってスキャニングし、
前記スキャニングされた前記被測定遊技基盤の画像データと、前記保存された基準となる遊技基盤の画像データとを比較することによって、被測定遊技基盤に植設された遊技機障害釘が前記基準となる遊技基盤に植設された遊技機障害釘と同じ位置に調整されることを特徴とする遊技機障害釘調整方法。
【請求項５】
基準となる遊技基盤は、入賞率の平均を基にして選択されることを特徴とする請求項４に記載された遊技機障害釘調整方法。
【請求項６】
前記基準となる遊技基盤における画像データ、および前記基準となる遊技基盤における重要な遊技機障害釘の間隔データに基づいて、被測定遊技基盤に植設された遊技機障害釘間隔が調整されることを特徴とする請求項１から請求項５のいずれか１項に記載された遊技機障害釘調整方法。
【請求項７】
遊技機障害釘を遊技基盤面に備えている遊技機における遊技機障害釘調整装置において、
基準となる遊技基盤面に植設された遊技機障害釘の画像をスキャニングするイメージスキャナーと、
前記基準となる遊技基盤における画像データを保存する基準遊技基盤データ保存手段と、
被測定遊技基盤の画像を前記イメージスキャナーによってスキャニングした画像データを保存する被測定遊技基盤データ保存手段と、
前記基準遊技基盤データ保存手段と被測定遊技基盤データ保存手段とに保存された画像データを同時に表示するデータ比較表示手段と、
を少なくとも備えていることを特徴とする遊技機障害釘調整装置。
【請求項８】
遊技機障害釘を遊技基盤面に備えている遊技機における遊技機障害釘調整装置において、
基準となる遊技基盤面に植設された遊技機障害釘の画像データを受信する基準遊技基盤画像データ受信手段と、
前記受信した遊技機障害釘の画像データを保存する基準遊技基盤データ保存手段と、
被測定遊技基盤の画像を前記イメージスキャナーによってスキャニングした画像データを保存する被測定遊技基盤データ保存手段と、
前記基準遊技基盤データ保存手段と被測定遊技基盤データ保存手段とに保存された画像データを同時に表示するデータ比較表示手段と、
を少なくとも備えていることを特徴とする遊技機障害釘調整装置。
【請求項９】
前記基準となる遊技基盤は、パチンコホールにおいて、遊技機障害釘整備図面を参考にして独自に作製された性能の優れた遊技台であり、前記被測定遊技基盤は、前記パチンコホールに納入された新遊技台であることを特徴とする請求項７または請求項８に記載された遊技機障害釘調整装置。
【請求項１０】
前記基準となる遊技基盤は、パチンコホールに予め設置されている中で最も性能の優れた遊技台であり、前記被測定遊技基盤は、前記パチンコホールに既に設置されている遊技台であることを特徴とする請求項７または請求項８に記載された遊技機障害釘調整装置。
【請求項１１】
前記基準となる遊技基盤は、パチンコホールにおいて、遊技機障害釘整備図面を参考にして独自に作製された性能の優れた遊技台であり、前記被測定遊技基盤は、前記パチンコホールに既に設置されている遊技台であることを特徴とする請求項７または請求項８に記載された遊技機障害釘調整装置。
【請求項１２】
前記基準となる遊技基盤は、パチンコホールに予め設置されている中で最も性能の優れた遊技台であり、前記被測定遊技基盤は、前記パチンコホールに納入される新遊技台であることを特徴とする請求項７または請求項８に記載された遊技機障害釘調整装置。
【請求項１３】
遊技機障害釘を遊技基盤面に備えている遊技機における遊技機障害釘調整装置において、
選択された複数の遊技基盤を登録する遊技基盤登録手段と、
前記登録された複数の遊技基盤の入賞状態を適切な時間注目して、性能を分析する遊技基盤データ分析手段と、
前記遊技基盤データ分析手段によって分析されたデータに基づいて、基準となる遊技基盤を選択する基準遊技基盤選択手段と、
前記選択された基準となる遊技基盤に植設された遊技機障害釘の画像データをスキャニングするイメージスキャナーと、
前記イメージスキャナーによってスキャニングされた基準遊技基盤の画像データを保存する基準遊技基盤画像データ保存手段と、
被測定遊技基盤の画像を前記イメージスキャナーによってスキャニングし、その画像データを保存する被測定遊技基盤データ保存手段と、
前記被測定遊技基盤データ保存手段に保存された画像データと、前記保存された基準となる遊技基盤の画像データとを比較するデータ比較表示手段と、
を少なくとも備えていることを特徴とする遊技機障害釘調整装置。
【請求項１４】
前記データ比較表示手段に表示される画像は、基準となる遊技基盤面に植設された遊技機障害釘と被測定遊技基盤に植設された遊技機障害釘とが区別できるように表示されていることを特徴とする請求項７から請求項１３のいずれか１項に記載された遊技機障害釘調整装置。
【請求項１５】
前記重要な遊技機障害釘には、重要度に基づいてランク付けがされていることを特徴とする請求項７から請求項１４のいずれか１項に記載された遊技機障害釘調整装置。
【請求項１６】
前記データ比較表示手段の裏側には、前記イメージスキャナーが背中合わせにして取り付けられていることを特徴とする請求項７から請求項１５のいずれか１項に記載された遊技機障害釘調整装置。
【請求項１７】
前記被測定遊技基盤は、移動台に載置され、固定台に対して、上下左右に平行な２対の旋回アームにより移動可能に取り付けられていることを特徴とする請求項７から請求項１６のいずれか１項に記載された遊技機障害釘調整装置。
【請求項１８】
前記上下方向に設けられた１対の旋回アームは、「く」の字状に曲げられていることを特徴とする請求項７から請求項１７のいずれか１項に記載された遊技機障害釘調整装置。
【請求項１９】
前記データ比較表示手段は、固定台に取り付けられ、前記被測定遊技基盤は、前記固定台に前後平行に配置される移動台に取り付けられていることを特徴とする請求項７から請求項１８のいずれか１項に記載された遊技機障害釘調整装置。
【請求項２０】
前記被測定遊技基盤は、前記移動台に載置され、前記固定台に対して、上下左右に平行な２対の旋回アームにより、前記データ比較表示手段に表示された遊技機障害釘の画像を見ながら遊技機障害釘を調整できる位置に移動が可能に取り付けられていることを特徴とする請求項７から請求項１９のいずれか１項に記載された遊技機障害釘調整装置。
【請求項２１】
前記固定台の下部には、前記移動台が旋回した際のバランスを保つ固定アームが設けられていることを特徴とする請求項７から請求項２０のいずれか１項に記載された遊技機障害釘調整装置。
【請求項２２】
前記固定台の下部には、ロック装置付きのキャスターが取り付けられていることを特徴とする請求項７から請求項２１のいずれか１項に記載された遊技機障害釘調整装置。
【請求項２３】
前記固定台には、遊技基盤の高さに合わせて調整することができる取付手段が設けられていることを特徴とする請求項７から請求項２２のいずれか１項に記載された遊技機障害釘調整装置。
【発明の詳細な説明】
【技術分野】
【０００１】
本発明は、遊技基盤面に植設された遊技機障害釘を有する遊技機の遊技機障害釘間隔を測定する遊技機障害釘調整方法および遊技機障害釘調整装置に関するものである。本発明は、特に、パチンコ遊技機等における遊技機障害釘の調整に際し、前記遊技機障害釘の標準化を図り、効率のよい遊技機障害釘の調整と、前記遊技機障害釘の調整による出玉コントロールを容易にしようとするものである。本明細書において、「遊技機障害釘間隔」なる文言は、遊技機障害釘の相対的な位置関係も含む広い意味に使用されている。また、「間隔」なる文言は、１本の遊技機障害釘の位置を調整する場合であっても、必ず他の遊技機障害釘との相対的な間隔が変わっているため、広い意味で使用されている。すなわち、本明細書における遊技機障害釘間隔は、１対の遊技機障害釘の間ではない場合も含まれている。
【背景技術】
【０００２】
遊技機用の遊技機障害釘は、基盤面に数百本植設されており、１０本から２０本程度のパチンコ球が入賞するか否かを決定するいわゆる命釘、パチンコ球の通り道を決定する道釘、パチンコ球をジャンプさせて方向を転換させるジャンプ釘等からなる。
【０００３】
前記命釘、道釘、ジャンプ釘となる遊技機障害釘は、遊技基盤面に対して、複雑な傾斜角度となるように曲げられて、パチンコホールとパチンコ遊技者との利益の調和が図られている。しかし、遊技機障害釘は、特殊な能力を持つ釘師の勘により、１００分の１ｍｍ程度の単位で調整が行われていた。前記釘師は、一人前になるのに、１０年から２０年以上かかるといわれている。
【０００４】
前記釘師は、前記遊技機障害釘の頭を左右前後方向（３６０度）に打つことにより、遊技基盤面に対する遊技機障害釘の方向と傾斜角度（財団法人保安電子通信技術協会では、「何時方向に何度」という表現を行っている。）が異なるように曲げて、パチンコ球の通過を難しくしたり、あるいは通過を容易にするように調整している。
【０００５】
前記遊技機障害釘の間隔は、遊技機障害釘の頭部を打ち、遊技基盤面に対する方向と傾斜角度を何時方向に何度というように変えることにより、遊技基盤面から高さ方向の中間部（５．５ｍｍの高さ）の内法寸法において、パチンコ球の直径部分（最厚部）が通過する通過率に変化を持たせる必要がある。
【０００６】
遊技機障害釘間隔を調整する者は、たとえば、多数植設された遊技機障害釘の中の１対の命釘（１本の場合もある）に注目し、この遊技機障害釘に対して、接触ゲージ（測定装置の先端部）を当接して、前記遊技機障害釘間隔（内法寸法）をアナログ的に測定する。しかし、前記測定者は、多数複雑な方向と傾斜角度で植設された遊技機障害釘の中で、前記測定装置をいくら上手に扱っても、正確に測定することができなかった。
【０００７】
すなわち、２本の遊技機障害釘間隔は、測定者の触感（測定者が手に持った接触ゲージを遊技機障害釘の内法に手さぐりで当てる際の感覚）次第で寸法が異なってしまう。また、遊技基盤面の上には、遊技機障害釘以外に、複数個の入賞装置（役もの）、風車、ランプ等が存在しており、これらが邪魔になるため、２本の遊技機障害釘の所定の高さ（遊技基盤面上から５．５ｍｍの高さ）における間隔を正しく測定することが困難であった。
【０００８】
前記遊技機障害釘間隔の測定装置は、たとえば、実開平３−３３３０２号公報に記載されているようなパチンコボール型の分割球が付いているもので、所定の高さ方向の間隔をアナログ的に測定するものがあった。図９は従来例における遊技機障害釘間隔を測定する測定装置を説明するための図である。図１０は従来例における遊技機障害釘と測定ピンとの関係を説明するための図で、遊技基盤の垂直方向から見た図である。
【０００９】
図９において、遊技機障害釘間隔測定装置９０は、遊技機障害釘間隔をアナログ的に表示するゲージ体９５と、前記ゲージ体９５に設けられ、互いに反対方向に押し合っている測定杆９３、９４と、前記それぞれの測定杆９３、９４の先端部に設けられた測定ピン９６、９７を備えた分割球９１、９２とから構成されている。
【００１０】
また、前記測定ピン９６、９７は、前記分割球９１、９２の中心からずれる位置で、測定する際に、遊技機障害釘の中心になるように設けられている。以下、前記分割球９１、９２、および測定ピン９６、９７を単に接触ゲージと記載する。また、前記接触ゲージを使用した遊技機障害釘間隔の測定装置は、たとえば、特開平６−９８９７５号公報に記載されているようにディジタルデータとして測定できるものもある。
【００１１】
前記測定ピン９６、９７は、その下部が遊技機障害釘９１２、９１２′の上に接触することで、ゲージ体９５（図１０参照）に遊技機障害釘９１２、９１２′の間隔がアナログ的に表示される。
【００１２】
【特許文献１】実開平３−３３３０２号公報
【特許文献２】特開平６−９８９７５号公報
【発明の開示】
【発明が解決しようとする課題】
【００１３】
前記遊技機障害釘を有する遊技機は、前述のように、前記遊技機障害釘の内法に前記接触ゲージを接触させることにより、前記遊技機障害釘間隔を測定することができる。前記遊技機障害釘間隔測定装置の接触ゲージは、遊技基盤面に対してほぼ垂直方向（ピッチング）、水平方向（ヨーイング）および左右回転方向（ローリング）の３次元について気を付けて、前記遊技機障害釘の間に正しく当てる必要がある。  
【００１４】
前記接触ゲージは、前記垂直方向、水平方向、および左右回転方向のずれに対して気を付けながら、通常、手さぐり（触診）で、正しいと思われる位置を確かめた後、測定データを入力している。前記接触ゲージは、前記のように、比較的正しい位置に配置するために時間がかかるという問題があった。特に、熟練の浅い測定者は、測定データの不正確さ、および測定時間が長くかかるという問題があった。
【００１５】
近年、パチンコホールは、大型化して、一店舗当たりのパチンコ遊技機の設置台数が多くなる傾向にある。このような状態において、測定者の未熟さや測定時間が長い等は、パチンコホールの経営に影響を与えるようになってきた。
【００１６】
そこで、パチンコホールの経営者は、パチンコ遊技基盤において、入賞に大きく係わる遊技機障害釘間隔のみを測定することで、前記問題を解決しようと試みた。しかし、遊技機障害釘は、遊技基盤の木目や木質、これらの反り具合等、あるいは釘打機等によって、予め決められ位置から０．１ｍｍないし２ｍｍ程度狂う場合がある。
【００１７】
前記入賞に大きく係わる遊技機障害釘は、数が多くなると、調整に時間がかかるだけでなく、パチンコホールの経営者およびパチンコ遊技者の両方に良いパチンコ遊技台とすることが困難であった。
【００１８】
すなわち、前記遊技機障害釘の調整者は、遊技機障害釘の位置によって、前記経営者とパチンコ遊技者の両方にとって望ましい入賞率にすることが困難であった。前記両者に望ましいパチンコ遊技機とすることは、それぞれの遊技基盤における遊技機障害釘をいろいろと変えてみるといった試行錯誤を繰り返し、経験的に見出す以外方法がなかった。
【００１９】
しかし、パチンコ遊技機は、パチンコ遊技者に飽きられないように、数カ月で交換を行う必要がある。このように早い交換サイクルは、前記両者にとって、良い台であるか否かの見分けが付かないうちに、パチンコ遊技機の入れ換えを行うことになってしまうという問題があった。
【００２０】
以上のような課題を解決するために、本発明は、パチンコ遊技機に対して、性能の良い台、あるいは性能の悪い台を無くし、標準化することで、パチンコ経営者とパチンコ遊技者の両方にとって望ましい入賞率となる遊技機障害釘調整方法および遊技機障害釘調整装置を提供することを目的とする。
【００２１】
本発明は、パチンコ遊技機における遊技機障害釘間隔を標準化することで、最低の数の遊技機障害釘のみを調整するだけで済む遊技機障害釘調整方法および遊技機障害釘調整装置を提供することを目的とする。
【００２２】
本発明は、経験的または設計上入賞率が判る遊技機障害釘間隔に合わせることで、出玉コントロールを容易に行うことができる遊技機障害釘調整方法および遊技機障害釘調整装置を提供することを目的とする。
【００２３】
本発明は、遊技機障害釘間隔の調整において、予め重要度を決めておくことにより、遊技機障害釘間隔の調整精度をそれぞれに合わせることで、遊技機障害釘間隔の調整時間を短縮することができる遊技機障害釘調整方法および遊技機障害釘調整装置を提供することを目的とする。
【課題を解決するための手段】
【００２４】
（第１発明）
第１発明の遊技機障害釘調整方法は、遊技機障害釘を遊技基盤面に備えている遊技機において、基準となる遊技基盤に植設された遊技機障害釘の画像をイメージスキャナーによってスキャニングし、前記スキャニングされた画像データを保存し、次に、被測定遊技基盤に植設された遊技機障害釘の画像を前記イメージスキャナーによってスキャニングし、前記スキャニングされた前記被測定遊技基盤の画像データと、前記保存された基準となる遊技基盤の画像データとを比較することによって、被測定遊技基盤に植設された遊技機障害釘間隔が前記基準となる遊技基盤に植設された遊技機障害釘と同じ位置に調整されることを特徴とする。
【００２５】
（第２発明）
第２発明の遊技機障害釘調整方法は、遊技機障害釘を遊技基盤面に備えている遊技機において、基準となる遊技基盤に植設された遊技機障害釘の画像データが配信され、前記配信された基準となる画像データを保存し、次に、被測定遊技基盤に植設された遊技機障害釘の画像をイメージスキャナーによってスキャニングし、前記スキャニングされた前記被測定遊技基盤の画像データと、前記保存された基準となる遊技基盤の画像データとを比較することによって、被測定遊技基盤に植設された遊技機障害釘間隔が前記基準となる遊技基盤に植設された遊技機障害釘と同じ位置に調整されることを特徴とする。
【００２６】
（第３発明）
第３発明の遊技機障害釘調整方法は、基準となる遊技基盤が性能の優れた遊技台であり、被測定遊技基盤が前記遊技基盤と同じ機種の他の遊技台であることを特徴とする。
【００２７】
（第４発明）
第４発明の遊技機障害釘調整方法は、遊技機障害釘を遊技基盤面に備えている遊技機において、複数の遊技基盤を選択した後、これらを登録し、前記登録された複数の遊技基盤の入賞状態を適切な時間注目し、パチンコホールの経営者およびパチンコ遊技者にとって一番望ましい遊技基盤を基準となる遊技基盤として選択し、前記基準となる遊技基盤に植設された遊技機障害釘の画像データがイメージスキャナーによってスキャニングされ、その画像データを保存し、次に、被測定遊技基盤に植設された遊技機障害釘の画像を前記イメージスキャナーによってスキャニングし、前記スキャニングされた前記被測定遊技基盤の画像データと、前記保存された基準となる遊技基盤の画像データとを比較することによって、被測定遊技基盤に植設された遊技機障害釘間隔が前記基準となる遊技基盤に植設された遊技機障害釘と同じ位置に調整されることを特徴とする。
【００２８】
（第５発明）
第５発明の遊技機障害釘調整方法は、基準となる遊技基盤が入賞率の平均を基にして選択されることを特徴とする。
【００２９】
（第６発明）
第６発明の遊技機障害釘調整方法は、基準となる遊技基盤における画像データ、および前記基準となる遊技基盤における重要な遊技機障害釘の間隔データに基づいて、被測定遊技基盤に植設された遊技機障害釘間隔が調整されることを特徴とする。
【００３０】
（第７発明）
第７発明の遊技機障害釘調整装置は、遊技機障害釘を遊技基盤面に備えている遊技機において、基準となる遊技基盤面に植設された遊技機障害釘の画像をスキャニングするイメージスキャナーと、前記基準となる遊技基盤における画像データを保存する基準遊技基盤データ保存手段と、被測定遊技基盤の画像を前記イメージスキャナーによってスキャニングした画像データを保存する被測定遊技基盤データ保存手段と、前記基準遊技基盤データ保存手段と被測定遊技基盤データ保存手段とに保存された画像データを同時に表示するデータ比較表示手段と、を少なくとも備えていることを特徴とする。
【００３１】
（第８発明）
第８発明の遊技機障害釘調整装置は、遊技機障害釘を遊技基盤面に備えている遊技機において、基準となる遊技基盤面に植設された遊技機障害釘の画像データを受信する基準遊技基盤画像データ受信手段と、前記受信した遊技機障害釘の画像データを保存する基準遊技基盤データ保存手段と、被測定遊技基盤の画像を前記イメージスキャナーによってスキャニングした画像データを保存する被測定遊技基盤データ保存手段と、前記基準遊技基盤データ保存手段と被測定遊技基盤データ保存手段とに保存された画像データを同時に表示するデータ比較表示手段と、を少なくとも備えていることを特徴とする。
【００３２】
（第９発明）
第９発明の遊技機障害釘調整装置は、基準となる遊技基盤がパチンコホールにおいて、遊技機障害釘整備図面を参考にして独自に作製された性能の優れた遊技台であり、被測定遊技基盤が前記パチンコホールに納入された新遊技台であることを特徴とする。
【００３３】
（第１０発明）
第１０発明の遊技機障害釘調整装置は、基準となる遊技基盤がパチンコホールに予め設置されている中で最も性能の優れた遊技台であり、被測定遊技基盤が前記パチンコホールに既に設置されている遊技台であることを特徴とする。
【００３４】
（第１１発明）
第１１発明の遊技機障害釘調整装置は、基準となる遊技基盤がパチンコホールにおいて、遊技機障害釘整備図面を参考にして独自に作製された性能の優れた遊技台であり、被測定遊技基盤が前記パチンコホールに既に設置されている遊技台であることを特徴とする。
【００３５】
（第１２発明）
第１２発明の遊技機障害釘調整装置は、基準となる遊技基盤がパチンコホールに予め設置されている中で最も性能の優れた遊技台であり、被測定遊技基盤が前記パチンコホールに納入される新遊技台であることを特徴とする。
【００３６】
（第１３発明）
第１３発明の遊技機障害釘調整装置は、遊技機障害釘を遊技基盤面に備えている遊技機において、選択された複数の遊技基盤を登録する遊技基盤登録手段と、前記登録された複数の遊技基盤の入賞状態を適切な時間に注目して、性能を分析する遊技基盤データ分析手段と、前記遊技基盤データ分析手段によって分析されたデータに基づいて、基準となる遊技基盤を選択する基準遊技基盤選択手段と、前記選択された基準となる遊技基盤に植設された遊技機障害釘の画像データをスキャニングするイメージスキャナーと、前記イメージスキャナーによってスキャニングされた基準遊技基盤の画像データを保存する基準遊技基盤画像データ保存手段と、被測定遊技基盤の画像を前記イメージスキャナーによってスキャニングし、その画像データを保存する被測定遊技基盤データ保存手段と、前記被測定遊技基盤データ保存手段に保存された画像データと、前記保存された基準となる遊技基盤の画像データとを比較するデータ比較表示手段と、を少なくとも備えていることを特徴とする。
【００３７】
（第１４発明）
第１４発明の遊技機障害釘調整装置は、データ比較表示手段に表示される画像が基準となる遊技基盤面に植設された遊技機障害釘と被測定遊技基盤に植設された遊技機障害釘とを区別できるように表示することを特徴とする。
【００３８】
（第１５発明）
第１５発明の遊技機障害釘調整装置は、重要な遊技機障害釘に重要度に基づいてランク付けがされていることを特徴とする。
【００３９】
（第１６発明）
第１６発明の遊技機障害釘調整装置は、データ比較表示手段の裏側にイメージスキャナーが背中合わせにして取り付けられていることを特徴とする。
【００４０】
（第１７発明）
第１７発明の遊技機障害釘調整装置は、被測定遊技基盤が移動台に載置され、固定台に対して、上下左右に平行な２対の旋回アームにより移動可能に取り付けられていることを特徴とする。
【００４１】
（第１８発明）
第１８発明の遊技機障害釘調整装置は、上下方向に設けられた１対の旋回アームが「く」の字状に曲げられていることを特徴とする。
【００４２】
（第１９発明）
第１９発明の遊技機障害釘調整装置は、データ比較表示手段が固定台に取り付けられ、被測定遊技基盤が前記固定台に前後平行に配置される移動台に取り付けられていることを特徴とする。
【００４３】
（第２０発明）
第２０発明の遊技機障害釘調整装置は、被測定遊技基盤が移動台に載置され、固定台に対して、上下左右に平行な２対の旋回アームにより、データ比較表示手段に表示された遊技機障害釘の画像を見ながら遊技機障害釘を調整できる位置に移動が可能に取り付けられていることを特徴とする。
【００４４】
（第２１発明）
第２１発明の遊技機障害釘調整装置は、固定台の下部に移動台が旋回した際のバランスを保つ固定アームが設けられていることを特徴とする。
【００４５】
（第２２発明）
第２２発明の遊技機障害釘調整装置は、固定台の下部にロック装置付きのキャスターが取り付けられていることを特徴とする。
【００４６】
（第２３発明）
第２３発明の遊技機障害釘調整装置は、固定台に遊技基盤の高さに合わせて調整することができる取付手段が設けられていることを特徴とする。
【発明の効果】
【００４７】
本発明によれば、パチンコ遊技機に対して、性能の良い台、あるいは性能の悪い台を無くし、標準化することで、パチンコ経営者とパチンコ遊技者の両方にとって望ましい遊技機障害釘間隔を調整することができる。
【００４８】
本発明によれば、パチンコ遊技機における遊技機障害釘間隔を標準化することで、最低の数の遊技機障害釘のみを調整するだけで済み、効率の良い遊技機障害釘間隔を調整することができる。
【００４９】
本発明によれば、被測定遊技基盤における遊技機障害釘間隔を経験的または設計上入賞率が判る遊技機障害釘間隔に合わせることで、出玉コントロールを容易に行うことができ、パチンコ経営者とパチンコ遊技者の調和を図ることが容易である。
【００５０】
本発明によれば、遊技機障害釘間隔に予め重要度を決めておくことにより、遊技機障害釘間隔の調整精度をそれぞれに合わせることで、遊技機障害釘間隔の調整時間を短縮することができる。
【００５１】
本発明によれば、被測定遊技基盤に植設されている遊技機障害釘の間隔を基準となる遊技基盤に植設されている遊技機障害釘の間隔と同じ位置に行うための作業が容易にできるような遊技基盤載置用架台に工夫を凝らした。すなわち、前記架台は、旋回自在なアームにより、データ比較表示手段に表示された基準となる遊技基盤の画像を見ながら、被測定遊技基盤における遊技機障害釘を調整できる位置に旋回できる。
【００５２】
本発明によれば、前記架台に、バランス用の固定手段、あるいは、ロック装置付キャスターを設けることにより、遊技機障害釘の間隔を調整する際の作業が容易にできる。  
【発明を実施するための最良の形態】
【００５３】
（第１発明）
第１発明の遊技機障害釘調整方法は、遊技基盤に植設されている遊技機障害釘の間隔を標準化することにより、最低数の重要な遊技機障害釘のみを効率的に調整して、パチンコホールの経営者およびパチンコ遊技者の両者にとって利益のあるものとすることができる。予め、前記両者にとって利益のある性能が良い遊技基盤は、試打あるいは経験（実績）に基づいて、基準遊技基盤として選択される。
【００５４】
前記選択された基準遊技基盤に植設された遊技機障害釘は、イメージスキャナーによってスキャニングされて画像データとして保存される。次に、被測定遊技基盤に植設された遊技機障害釘は、前記イメージスキャナーによってスキャニングされ、画像データとして保存される。スキャニングされた前記被測定遊技基盤の画像データと、前記保存された基準となる遊技基盤の画像データとは、たとえば、重ね合わされることによって比較される。
【００５５】
前記被測定遊技基盤に植設された遊技機障害釘間隔は、前記比較によって、前記基準となる遊技基盤とどの程度異なるかが判るため、同じように調整されることにより、全ての遊技基盤を同じようにして標準化が行える。前記標準化された遊技基盤は、少数の遊技機障害釘間隔を調整するだけで、パチンコホール経営者にとって都合が良いだけでなく、パチンコ遊技者にとっても、健全な娯楽となるようにすることが容易である。
【００５６】
（第２発明）
第２発明の遊技機障害釘調整方法は、基準となる遊技基盤に植設された遊技機障害釘の画像データがパチンコメーカーまたは販売店からパチンコホールに対して配信される点で、第１発明と異なっている。すなわち、前記配信された基準となる画像データは、イメージスキャナーによってスキャニングされた被測定遊技基盤の画像データと比較することによって、被測定遊技基盤に植設された遊技機障害釘間隔が前記基準となる遊技基盤に植設された遊技機障害釘と同じ位置になるように調整される。
【００５７】
第１発明は、パチンコホールにおいて、基準となる遊技基盤を試打または経験等により選択できる者がいる場合であり、第２発明は、パチンコホールで基準となる遊技基盤を選択することができる者がいないか、あるいは遊技基盤のメーカー等から基準となる画像データ等を得ることができる場合である。いずれの場合であっても、パチンコホールの遊技基盤は、簡単に標準化ができるので、遊技機障害釘間隔の調整が効率的に行うことができる。
【００５８】
（第３発明）
第３発明において、基準となる遊技基盤は、パチンコホールの経営者およびパチンコ遊技者の両者にとって利益の調和が図れるような性能の優れた遊技台であればある程、標準化を行うことにより、遊技機障害釘の調整が効率良く簡単に行える。また、被測定遊技基盤は、基準となる遊技基盤と同じ機種の他の遊技台である必要がある。
【００５９】
（第４発明）
第４発明の遊技機障害釘調整方法は、パチンコホールにおいて、性能の良い遊技基盤を見つけようとする方法が第１発明および第２発明と異なっている。第４発明の遊技機障害釘調整方法は、先ず、任意の複数の遊技基盤を選択するとともにこれらを登録しておく。
【００６０】
前記登録された複数の遊技基盤は、入賞状態が適切な時間（たとえば、数日間の入賞状態）注目される。前記複数の遊技基盤は、前記入賞状態が分析され、その結果、パチンコホールの経営者およびパチンコ遊技者にとって一番良いと思われるデータのものが一つ選択され、基準となる遊技基盤になる。
【００６１】
その後、前記基準となる遊技基盤の画像データと被測定遊技基盤の画像データとの比較は、第１発明および第２発明と同じである。前記入賞状態の分析は、売り上げ高、出玉等も参考にすることができる。なお、第４発明は、予め任意の複数の遊技基盤を選択し、これらの画像データを登録しておき、基準となる遊技基盤を前記登録された画像データから選択して、保存されている基準遊技基盤に選択されなかった前記画像データを破棄することも可能である。
【００６２】
（第５発明）
第５発明の遊技機障害釘調整方法は、基準となる遊技基盤を選択するデータとして、入賞率の平均を基にしている。すなわち、基準となる遊技基盤は、入賞率の平均を基にして、パチンコホールの経営者およびパチンコ遊技者の両者にとって、都合の良い遊技台であることが望ましい。
【００６３】
その他の遊技基盤は、前記基準となる遊技基盤に遊技機障害釘間隔を合わせておき、その時々により、重要な遊技機障害釘のみをパチンコホールにとって有利にしたり、パチンコ遊技者にとって有利にしたりすることが容易にできる。
【００６４】
（第６発明）
第１発明ないし第５発明の遊技機障害釘調整方法は、基準となる遊技基盤の遊技機障害釘間隔を画像データのみによって調整していた。第６発明の遊技機障害釘調整方法は、基準となる遊技基盤における画像データ、および前記基準となる遊技基盤における重要な遊技機障害釘の間隔データが保存されている。
【００６５】
被測定遊技基盤に植設された遊技機障害釘間隔は、前記保存された基準となる遊技基盤の前記画像データと遊技機障害釘の間隔データに基づいているため、精度の高い調整が可能であり、優れた標準化が可能である。
【００６６】
（第７発明）
第７発明の遊技機障害釘調整装置は、標準化された遊技基盤を得ることを容易にするものである。前記遊技基盤に植設されている遊技機障害釘の間隔を標準化することにより、重要な遊技機障害釘のみを効率的に調整して、パチンコホールの経営者およびパチンコ遊技者の両者にとって利益のあるものとすることができる。
【００６７】
イメージスキャナーは、実績または試打により性能の優れた遊技基盤を基準となる遊技基盤として、その遊技基盤面に植設された遊技機障害釘の画像をスキャニングする。前記基準となる遊技基盤における画像データは、基準遊技基盤データ保存手段に保存される。
【００６８】
同様に、被測定遊技基盤に植設された遊技機障害釘は、前記イメージスキャナーによってスキャニングされ、画像データとして、被測定遊技基盤データ保存手段に保存される。データ比較表示手段は、前記基準遊技基盤データ保存手段と被測定遊技基盤データ保存手段とに保存された画像データを同時に表示するとともに、比較し、遊技機障害釘間隔のずれをなくすように修正する。
【００６９】
このように、第７発明の遊技機障害釘調整装置は、データ比較表示手段に同時に表示された基準となる遊技機障害釘と被測定遊技機障害釘との間隔を目でみながら修正できるため、効率的に重要な遊技機障害釘間隔を設けることができる。
【００７０】
（第８発明）
第８発明の遊技機障害釘調整装置は、パチンコメーカーまたは販売店等から配信される、基準となる遊技基盤面に植設された遊技機障害釘の画像データを受信する基準遊技基盤画像データ受信手段を有する点で、第７発明と異なっている。前記基準遊技基盤画像データ受信手段により受信した遊技機障害釘の画像データは、基準遊技基盤データ保存手段に保存され、その後の第７発明と同じである。
【００７１】
基準となる遊技基盤と被測定遊技基盤には、第９発明から第１２発明の４種類がある。
【００７２】
（第９発明）
第９発明の基準となる遊技基盤は、パチンコホールにおいて、パチンコメーカー等が作製する遊技機障害釘整備図面を参考にして独自に作製された性能の優れた遊技台である。また、被測定遊技基盤は、前記パチンコホールに納入された新遊技台であり、これらの遊技機障害釘間隔を標準化するために、前記基準となる遊技基盤に植設された遊技機障害釘の間隔と同じ位置に合わせる。
【００７３】
（第１０発明）
第１０発明の基準となる遊技基盤は、パチンコホールに予め設置されている中で最も性能が優れているであろうと思われる遊技台が選択される。また、被測定遊技基盤は、前記パチンコホールに既に設置されている遊技台であり、これらの遊技機障害釘間隔を標準化するために、前記基準となる遊技基盤に植設された遊技機障害釘の間隔と同じ位置に合わせる。
【００７４】
（第１１発明）
第１１発明の基準となる遊技基盤は、第９発明と同じ、パチンコホールにおいて、遊技機障害釘整備図面を参考にして独自に作製された性能の優れた遊技台である。また、被測定遊技基盤は、第１０発明と同様に、前記パチンコホールに既に設置されている遊技台であり、これらの遊技機障害釘間隔を標準化するために、前記基準となる遊技基盤に植設された遊技機障害釘の間隔と同じ位置に合わせる。
【００７５】
（第１２発明）
第１２発明の基準となる遊技基盤は、第１０発明と同様に、パチンコホールに予め設置されている中で最も性能の優れた遊技台であり、被測定遊技基盤は、第９発明と同様に、前記パチンコホールに納入される新遊技台であり、これらの遊技機障害釘間隔を標準化するために、前記基準となる遊技基盤に植設された遊技機障害釘の間隔と同じ位置に合わせる。
【００７６】
（第１３発明）
第１３発明の遊技機障害釘調整装置は、既にパチンコホール内に設置されている遊技基盤の中から基準となる遊技基盤を探し出すという点で、第７発明および第８発明と異なっている。任意に選択された複数の遊技基盤は、遊技基盤登録手段にそれぞれ登録される。前記登録された複数の遊技基盤は、入賞状態が適切な時間注目される。
【００７７】
遊技基盤データ分析手段は、前記登録された複数の遊技基盤における入賞状態を分析する。基準遊技基盤選択手段は、前記遊技基盤データ分析手段によって分析されたデータ比較表示手段におけるデータに基づいて、基準となる遊技基盤を選択する。その後の画像データの保存およびデータの比較は、第７発明および第８発明と同じである。
【００７８】
（第１４発明）
第１４発明の遊技機障害釘調整装置は、基準となる遊技基盤面に植設された遊技機障害釘と被測定遊技基盤に植設された遊技機障害釘とが区別されて、データ比較表示手段に表示される。基準となる遊技基盤における遊技機障害釘は、たとえば、赤丸で表示され、被測定遊技機障害釘は、遊技機障害釘の頭部が重ねられて表示される。
【００７９】
パチンコホールにおいて、遊技機障害釘の管理者は、前記基準となる遊技基盤の遊技機障害釘の赤丸に対して、被測定遊技機障害釘の頭部がどの程度ずれているかを見て、遊技機障害釘の頭を叩き同じ位置にする。また、前記遊技機障害釘間隔の調整は、遊技台が標準化されているため、同じ機種であれば、自動機により調整することができる。
【００８０】
（第１５発明）
第１５発明の遊技機障害釘調整装置は、重要な遊技機障害釘が重要度に基づいてランク付けがされている。重要度１の遊技機障害釘は、命釘のように入賞率を決定するのに大きな影響を与える。そこで、画像データに基づいた目視だけでは精度が上がらないため、前記重要度１の遊技機障害釘は、画像データと実測された遊技機障害釘間隔の両方によって、遊技機障害釘の頭部を丁寧に叩き１００分の１ｍｍ単位で調整される。その他の遊技機障害釘は、画像データを見ながら基準となる遊技基盤の遊技機障害釘と同じ位置に調整する。
【００８１】
（第１６発明）
第１６発明の遊技機障害釘調整装置は、データ比較表示手段の裏側に被測定遊技基盤の遊技機障害釘をスキャニングするイメージスキャナーが背中合わせにして取り付けられている。前記被測定遊技基盤は、前記イメージスキャナーによってスキャニングされた状態で、回動することで、前記データ比較表示手段の画像データと比較ができるようになる。
【００８２】
（第１７発明）
第１７発明の遊技機障害釘調整装置は、被測定遊技基盤が移動台に載置され、固定台に対して、上下左右に平行な２対の旋回アームにより移動可能に取り付けられている。前記上下左右に平行な２対の旋回アームは、前記固定台に回動自在な構造となっているため、固定台に対して、被測定遊技基盤が載置された移動台を前記固定台の横に旋回して基準となる遊技基盤と被測定遊技基盤との両方を同時に見ることができるようにする。
【００８３】
（第１８発明）
第１８発明の遊技機障害釘調整装置は、上下方向の１対の旋回アームが「く」の字状に曲げられている。前記「く」の字状に曲げられた１対の旋回アームは、他方の旋回アームの回動部を避けることができるため、移動台に載置された被測定遊技基盤をより基準となる遊技基盤に近づけることができる。
【００８４】
（第１９発明）
第１９発明の遊技機障害釘調整装置は、前記データ比較表示手段が固定台に取り付けられ、前記被測定遊技基盤が前記固定台に前後平行に配置される移動台に取り付けられている。前記配置と第１６発明の配置により、基準となる遊技基盤、被測定遊技基盤、およびデータ比較表示手段の３者は、１つの架台に載置されているだけでなく、使用勝手も良くなっている。
【００８５】
（第２０発明）
第２０発明の遊技機障害釘調整装置は、被測定遊技基盤が載置されている移動台と、基準となる遊技基盤および前記被測定遊技基盤の画像データが表示されるデータ比較表示手段が載置されている固定台が平行な２対の旋回アームにより回動自在になっている。前記移動台に載置された被測定遊技基盤は、前記データ比較表示手段の近くまで回動され、そこに表示された遊技機障害釘の画像を見ながら遊技機障害釘を調整できる。
【００８６】
（第２１発明）
第２１発明の遊技機障害釘調整装置は、固定台の下部に移動台が旋回した際のバランスを保つ固定アームが設けられている。前記固定アームは、被測定遊技基盤における遊技機障害釘間隔を調整するための作業を行う必要があるため、固定台に設けておくと便利である。
【００８７】
（第２２発明）
第２２発明の遊技機障害釘調整装置は、固定台の下部にロック装置付きのキャスターが取り付けられている。前記固定台は、キャスターにより、被測定遊技基盤の前に次々と移動し、ロック装置により固定した後、前記被測定遊技基盤を移動台に載置してから遊技機障害釘の測定および調整が行われる。その後、前記被測定遊技基盤は、外されて元の位置に戻される。前記固定台は、前記ロック装置を外し次の被測定遊技基盤の近傍に移動する。
【００８８】
（第２３発明）
第２３発明の遊技機障害釘調整装置は、固定台において、遊技基盤の高さに合わせて調整することができる取付手段が設けられている。前記遊技機障害釘調整装置における固定台は、遊技基盤の機種により大きさが異なるため、どのような大きさの機種にも対応できるようになっている。
【実施例１】
【００８９】
図１は本発明の第１実施例である遊技機障害釘調整装置を説明するためのブロック構成図である。図１において、遊技機障害釘調整装置は、標準化を行うための基準となる基準遊技基盤１１と、遊技機障害釘の画像を得るためのイメージスキャナー１２と、前記基準遊技基盤１１の画像データを保存する基準遊技基盤データ保存手段１３と、前記基準遊技基盤１１の遊技機障害釘間隔を測定する遊技機障害釘間隔測定手段１４と、これから標準化しようとする被測定遊技基盤１５と、前記被測定遊技基盤１５の画像データを保存する被測定遊技基盤データ保存手段１６と、前記基準遊技基盤データ保存手段１３における画像データと、前記被測定遊技基盤データ保存手段１６における画像データとを比較するデータ比較表示手段１７と、被測定遊技基盤１５の遊技機障害釘を所定の位置に移動できる被測定遊技基盤移動手段１８と、遊技機障害釘を変更する遊技機障害釘変更手段１９とから構成されている。
【００９０】
図２は本発明の第１実施例である遊技機障害釘調整装置の動作を説明するためのフローチャートである。図１および図２において、たとえば、パチンコホールにおける経営者およびパチンコ遊技者の両者にとって調和が図れるような遊技基盤が基準遊技基盤１１として用意される（ステップ２１１）。たとえば、パチンコホールにおける経験者は、パチンコ遊技機の試打や出玉率または入賞率等の実績により前記両者にとって調和が図れるような性能の優れた遊技台を基準遊技基盤１１として選択することができる。
【００９１】
前記基準遊技基盤１１は、イメージスキャナー１２により、遊技機障害釘の画像がスキャニングされる（ステップ２１２）。また、必要に応じて、重要な箇所にある遊技機障害釘は、遊技機障害釘間隔測定手段１４により、遊技機障害釘間隔が測定される。そして、前記測定された遊技機障害釘間隔は、前記スキャニングされた画像データとともに使用される（ステップ２１３）。
【００９２】
前記スキャニングされた画像データ等は、基準遊技基盤データ保存手段１３に保存される（ステップ２１４）。次に、被測定遊技基盤１５は、前記イメージスキャナー１２によって、基準遊技基盤１１と同様に、遊技機障害釘の画像がスキャニングされる（ステップ２１５）。
【００９３】
前記基準遊技基盤１１と前記被測定遊技基盤１５とにかかる遊技機障害釘の画像データ等は、データ比較表示手段１７、たとえば、図示されていないパーソナルコンピュータの液晶表示装置に表示される（ステップ２１６）。前記データ比較表示手段１７は、前記基準遊技基盤１１と前記被測定遊技基盤１５との遊技機障害釘にかかる画像データ等が重ねられて表示され、基準遊技基盤１１と被測定遊技基盤１５における遊技機障害釘のずれを容易に比較できる（ステップ２１７）。
【００９４】
前記基準遊技基盤１１と被測定遊技基盤１５における遊技機障害釘は、たとえば、異なる色等により、調整の際に見易く表示される。また、前記表示は、重要度をランク付けするための色分けを行うことができる。
【００９５】
前記データ比較表示手段１７において、重ねられた画像データは、重要な遊技機障害釘が閾値を超えてずれているか否かを調べる（ステップ２１８）。前記閾値に対する判断は、調整者の目による場合と、画像データからのずれを数値的に判断する場合の両方がある。
【００９６】
前記調整者または制御装置（図示されていない）は、前記重要箇所の遊技機障害釘のずれが、前記閾値以内に入っていない（閾値を超えている）と判断した場合、被測定遊技基盤１５をデータ比較表示手段１７と同じ側になるように被測定遊技基盤移動手段１８によって移動させる（ステップ２１９）。この状態で、前記調整者または制御装置は、たとえば、遊技機障害釘を測定し（ステップ２２０）、所望の遊技機障害釘の位置を変更する（ステップ２２１）。
【００９７】
前記ステップ２１８において、前記調整者または制御装置は、前記重要箇所の遊技機障害釘のずれが、前記閾値以内に入っている（閾値を超えていない）と判断した場合、前記被測定遊技基盤１５を遊技機とする（ステップ２２２）。被測定遊技基盤データ保存手段１６は、調整の終了した被測定遊技基盤１５におけるパチンコ台番号、遊技機障害釘番号、遊技機障害釘間隔等のデータが画像とともに保存される（ステップ２２３）。前記調整者または制御装置は、前記パチンコ台番号等を保存した後、次の遊技基盤があるか否かを調べる（ステップ２２４）。
【００９８】
前記調整者または制御装置は、被測定遊技基盤１５がないと判断した場合、測定を終了し（ステップ２２５）、被測定遊技基盤１５があると判断した場合、ステップ２１５に戻り、前記のように遊技機障害釘の画像をスキャニングする。
【００９９】
以上のように、被測定遊技基盤１５における重要な遊技機障害釘間隔は、基準遊技基盤１１における遊技機障害釘と同じ間隔になる。すなわち、被測定遊技基盤１５は、全てが基準遊技基盤１１と同じ性能のものとなり、標準化されることになる。
【０１００】
前記のように標準化が行われた遊技基盤は、パチンコホールの経営者が出玉率あるいは入賞率を容易にコントロールすることができるため、パチンコホールの儲け過ぎ、パチンコ遊技者の極端な負けを少なくすることができる。
【０１０１】
基準遊技基盤１１は、パチンコホールに設置されているものの中で、性能の良い（出玉または入賞率をほぼ正確にコントロールできる）と思われる遊技基盤、あるいは、メーカー等が作製した遊技機障害釘整備図面を参考にして作製された遊技台である。また、被測定遊技基盤１５は、パチンコホールに既に設置されているもの、あるいは、新しく搬入された遊技基盤である場合がある。
【０１０２】
遊技機障害釘間隔には、命釘、道釘、ジャンプ釘等があり、前記出玉や入賞率をコントロールするのに重要である順位を付けておき、重要度の１位のものは、画像データと遊技機障害釘間隔の測定を行ったり、あるいは画像データのみにより調整を行ったりすることができる。
【実施例２】
【０１０３】
図３は本発明の第２実施例である遊技機障害釘調整装置を説明するためのブロック構成図である。図３において、第２実施例は、パチンコメーカー、パチンコ遊技機販売代理店、チェン店における本店または本部から基準となる遊技基盤の画像データが配信される点で、第１実施例と異なっている。
【０１０４】
前記配信された基準となる遊技基盤の画像データは、パチンコホールにある基準遊技基盤画像データ受信手段３１によって受信され、その後、基準遊技基盤画像データ保存手段３２に保存される。被測定遊技基盤３３から遊技機障害釘変更手段３８までは、図１における被測定遊技基盤１５から遊技機障害釘変更手段１９までと同じである。また、第２実施例は、フローチャートについても基準遊技基盤画像データが配信される点以外、図２と同じである。
【実施例３】
【０１０５】
図４は本発明の第３実施例である遊技機障害釘調整装置を説明するためのブロック構成図である。図４において、第３実施例は、パチンコホールにおける遊技基盤１・・・遊技基盤ｎ（４１１・・・４１１ｎ）の中から前記性能の優れた基準遊技基盤を見つけ出そうという考えである。
【０１０６】
第３実施例における遊技機障害釘調整装置は、前記パチンコホールに設置された多数の遊技基盤１（４１１）・・・遊技基盤ｎ（４１１ｎ）と、前記遊技基盤の中から複数個の遊技基盤を登録する遊技基盤登録手段４１２と、前記登録された遊技基盤４１１から遊技基盤４１１ｎについての出玉または入賞率等を分析する遊技基盤データ分析手段４１３と、前記遊技基盤データ分析手段４１３によって分析した結果、基準遊技基盤を選択する基準遊技基盤選択手段４１４と、第１実施例または第２実施例と同じ構成である符号４１５から４２２によって構成されている。
【０１０７】
図５は本発明の第３実施例である遊技機障害釘調整装置の動作を説明するためのフローチャートである。図４および図５において、たとえば、パチンコホールにおける複数の遊技基盤４１１・・・を選択する（ステップ５１１）。次に、前記複数の遊技基盤４１１・・・は、入賞状態が適切な時間注目される（ステップ５１２）。
【０１０８】
前記複数の遊技基盤４１１・・・は、遊技基盤データ分析手段４１３によって、たとえば、出玉または入賞率等に着目し、パチンコホール経営者またはパチンコ遊技者の両者にとって都合よくコントロールできるか否か等を見る（ステップ５１３）。基準となる遊技基盤は、前記複数の遊技基盤４１１・・・の中から基準遊技基盤選択手段４１４によって選択される（ステップ５１４）。前記基準となる遊技基盤は、出玉または入賞率が安定し、遊技機障害釘間隔のコントロールにより、変化を付け易いものが選択される。
【０１０９】
前記選択された一つの基準遊技基盤は、遊技基盤登録手段４１２に登録される（ステップ５１５）。前記遊技基盤登録手段４１２に登録された基準遊技基盤は、イメージスキャナー４１５によりスキャニングされ、その後、第１実施例または第２実施例と同じである（ステップ５１６からステップ５２８）。
【実施例４】
【０１１０】
図６は本発明の遊技機障害釘調整装置の一部である架台を説明するための斜視図である。図７は図６に示す架台における移動台を旋回した状態を説明するための図である。図８は図７における移動台の旋回前と旋回後の状態を実線と鎖線とにより説明するための平面図である。図６ないし図８において、架台６１は、４本の柱部材と板または桟部材から構成された下部架台６２と、前記下部架台６２に固定された枠部材からなる固定台６３と、前記固定台６３に旋回自在に取り付けられた枠部材からなる移動台６４とから構成されている。
【０１１１】
前記下部架台６２は、前記枠部材の下部にロック装置６２３付きのキャスター６２２が取り付けられている。また、前記下部架台６２は、後述する移動台が移動した際にバランスを保つための固定手段６２１が設けられている。
【０１１２】
前記下部架台６２の上部には、前部に枠部材および載置台６３１からなる固定台６３と、後部に枠部材および取付部６４１からなる移動台６４とから構成されている。また、前記固定台６３および移動台６４は、上下１対の旋回アーム６３２と、同じく上下１対のく字状旋回アーム６３３によって回動自在に連結されている。前記旋回アーム６３２、６３３は、両方の端部において、旋回を可能にする回動部が設けられている。
【０１１３】
前記移動台６４は、把手６４２を図に示す右側に引っ張った状態が図７に示されている。前記旋回アーム６３２およびく字状旋回アーム６３３は、両端で回動できるようになっているため、前記把手６４２により移動台６４を右側に引っ張った状態の時、く字状旋回アーム６３３が前記旋回アーム６３２の一方の回動部を避けることになり、移動台６４が固定台６３と同じ向きのまま右側により接近させることができる。
【０１１４】
前記架台６１における固定台６３の載置台６３１には、データ比較表示手段１７が載置されるとともに、前記データ比較表示手段１７と背中合わせにしてイメージスキャナー１２が設置される。被測定遊技基盤１５は、前記移動台６４の取付部６４１に取り付けられる。また、前記取付部６４１の高さは、遊技基盤の高さにより調整できるようになっている。前記イメージスキャナー１２は、被測定遊技基盤１５における遊技機障害釘の画像をスキャニングする。
【０１１５】
その後、被測定遊技基盤１５は、図２に示されたフローチャートに従って画像データが前記データ比較表示手段１７に入力される。調整者は、前記被測定遊技基盤１５を右側に移動させ、図７に示す位置にする。また、前記調整者は、前記データ比較表示手段１７の画像データを見ながら、前記被測定遊技基盤１５の遊技機障害釘間隔を調整する。なお、遊技機障害釘間隔の調整は、遊技機障害釘変更手段４２２によって自動的に変更させることもできる。
【産業上の利用可能性】
【０１１６】
以上、本発明の実施例を詳述したが、本発明は、前記実施例に限定されるものではない。そして、本発明は、特許請求の範囲に記載された事項を逸脱することがなければ、種々の設計変更を行うことが可能である。
【０１１７】
本発明のブロック構成図は、周知または公知の技術によって達成されるものであり、本発明の主旨を変えることがなければ任意に変えることができる。本発明の架台は、本発明の主旨を変えることがなければ枠の組立方や回動部の構造を任意に変更することができる。
【図面の簡単な説明】
【０１１８】
【図１】本発明の第１実施例である遊技機障害釘調整装置を説明するためのブロック構成図である。（実施例１）
【図２】本発明の第１実施例である遊技機障害釘調整装置の動作を説明するためのフローチャートである。
【図３】本発明の第２実施例である遊技機障害釘調整装置を説明するためのブロック構成図である。（実施例２）
【図４】本発明の第３実施例である遊技機障害釘調整装置を説明するためのブロック構成図である。（実施例３）
【図５】本発明の第３実施例である遊技機障害釘調整装置の動作を説明するためのフローチャートである。
【図６】本発明の遊技機障害釘調整装置の一部である架台を説明するための斜視図である。（実施例４）
【図７】図６に示す架台における移動台を旋回した状態を説明するための図である。
【図８】図８は図７における移動台の旋回前と旋回後の状態を実線と鎖線とにより説明するための平面図である。
【図９】従来例における遊技機障害釘間隔を測定する測定装置を説明するための図である。
【図１０】従来例における遊技機障害釘と測定ピンとの関係を説明するための図で、遊技基盤の垂直方向から見た図である。
【符号の説明】
【０１１９】
１１・・・基準遊技基盤
１２・・・イメージスキャナー
１３・・・基準遊技基盤データ保存手段
１４・・・遊技機障害釘間隔測定手段
１５・・・被測定遊技基盤
１６・・・被測定遊技基盤データ保存手段
１７・・・データ比較表示手段
１８・・・被測定遊技基盤移動手段
１９・・・遊技機障害釘変更手段
３１・・・基準遊技基盤画像データ受信手段
４１１・・・遊技基盤
４１２・・・遊技基盤登録手段
４１３・・・遊技基盤データ分析手段
４１４・・・基準遊技基盤選択手段
６１・・・架台
６２・・・下部架台
６２１・・・固定手段
６２２・・・キャスター
６２３・・・ロック装置
６３・・・固定台
６３１・・・載置台
６３２・・・旋回アーム
６３３・・・く字状旋回アーム
６４・・・移動台
６４１・・・取付部
６４２・・・把手
【図１】
2005198957.tif 000003
【図２】
2005198957.tif 000004
【図３】
2005198957.tif 000005
【図４】
2005198957.tif 000006
【図５】
2005198957.tif 000007
【図６】
2005198957.tif 000008
【図７】
2005198957.tif 000009
【図８】
2005198957.tif 000010
【図９】
2005198957.tif 000011
【図１０】
2005198957.tif 000012